(57)【要約】【課題】  操作ボタン等を必要としない極めて小型の構成でありながら、直感的で使い易い操作性を有する表示装置を提供する。【解決手段】筐体表面に情報を表示する表示部と、筐体に対する外部からの刺激を検知する検知部と、各部を制御する制御部とを有し、制御部が検知部からの検知信号に従って前記表示部に表示する情報を更新する。【選択図】  図１
2005174006.tif 000002
【特許請求の範囲】
【請求項１】
筐体表面に情報を表示する表示部と、筐体に対する外部からの刺激を検知する検知部と、各部を制御する制御部とを有し、前記制御部が前記検知部からの検知信号に従って前記表示部に表示する情報を更新することを特徴とする表示装置。
【請求項２】
前記検知部は、前記表示装置の振れを検知することを特徴とする請求項１記載の表示装置。
【請求項３】
前記検知部は、前記表示装置の振動を検知することを特徴とする請求項１記載の表示装置。
【請求項４】
前記検知部は、前記表示装置への衝撃を検知することを特徴とする請求項１記載の表示装置。
【請求項５】
前記検知部は、前記表示装置の回転を検知することを特徴とする請求項１記載の表示装置。
【請求項６】
前記検知部は、前記表示装置の筐体の変形を検知することを特徴とする請求項１記載の表示装置。
【請求項７】
前記制御部は、前記検知部からの検知信号に従って、前記表示部における情報表示をスクロールさせることを特徴とする請求項１〜６いずれか記載の表示装置。
【請求項８】
前記制御部は、前記検知部からの検知信号に従って、前記表示部における情報表示を改ページさせることを特徴とする請求項１〜６いずれか記載の表示装置。
【請求項９】
前記制御部は、前記検知部からの検知信号に従って、前記表示部における情報表示を拡大させることを特徴とする請求項１〜６いずれか記載の表示装置。
【請求項１０】
前記制御部は、前記検知部からの検知信号に従って、前記表示部における情報表示を縮小させることを特徴とする請求項１〜６いずれか記載の表示装置。
【請求項１１】
前記制御部は、前記検知部からの検知信号に従って、前記表示部における情報表示を変形させることを特徴とする請求項１〜６いずれか記載の表示装置。
【請求項１２】
前記検知部は、速度センサであることを特徴とする請求項１〜１１いずれか記載の表示装置。
【請求項１３】
前記検知部は、加速度センサであることを特徴とする請求項１〜１１いずれか記載の表示装置。
【請求項１４】
前記検知部は、角速度センサであることを特徴とする請求項１〜１１いずれか記載の表示装置。
【請求項１５】
前記検知部は、タッチセンサであることを特徴とする請求項１〜１１いずれか記載の表示装置。
【請求項１６】
前記検知部は、歪センサであることを特徴とする請求項１〜１１いずれか記載の表示装置。
【請求項１７】
前記検知部は、前記表示装置の重心位置に配置されることを特徴とする請求項１〜１６いずれか記載の表示装置。
【請求項１８】
前記検知部は、前記表示部とは異なる面に配置されることを特徴とする請求項１〜１６いずれか記載の表示装置。
【請求項１９】
前記検知部は、前記表示部の上下左右辺の位置に配置されることを特徴とする請求項１〜１６いずれか記載の表示装置。
【請求項２０】
前記検知部は、該装置の頂点部近傍に配置されることを特徴とする請求項１〜１６いずれか記載の表示装置。
【請求項２１】
筐体表面に情報を表示する表示部と、筐体の振れ方向および振れ幅を検知する速度センサと、各部を制御する制御部とを有し、前記制御部が前記速度センサからの検知信号に従って前記表示部に表示する情報をスクロールさせることを特徴とする表示装置。
【請求項２２】
筐体表面に情報を表示する表示部と、筐体に対する外部からの衝撃を検知するタッチセンサと、各部を制御する制御部とを有し、前記制御部が前記タッチセンサからの検知信号に従って前記表示部に表示する情報をスクロールさせることを特徴とする表示装置。
【請求項２３】
筐体表面に情報を表示する表示部と、筐体の頂点部近傍のめくれを検知する歪みセンサと、各部を制御する制御部とを有し、前記制御部が前記歪みセンサからの検知信号に従って前記表示部に表示する情報を改ページさせることを特徴とする表示装置。
【請求項２４】
筐体表面に情報を表示する表示部と、筐体の変形を検知する歪センサと、各部を制御する制御部とを有し、前記制御部が前記歪センサからの検知信号に従って前記表示部に表示する情報を拡大および縮小させることを特徴とする表示装置。
【請求項２５】
筐体表面に情報を表示する表示部と、筐体の変形を検知する歪センサと、各部を制御する制御部とを有し、前記制御部が前記歪センサからの検知信号に従って前記表示部に表示する情報を変形し歪補正することを特徴とする表示装置。
【請求項２６】
請求項１〜２５いずれか記載の表示装置であって、情報格納部を更に有し、前記表示部は前記情報格納部に格納されている情報を表示することを特徴とする表示装置。
【請求項２７】
請求項１〜２５いずれか記載の表示装置であって、通信部を更に有し、前記表示部は前記通信部から受信される情報を表示することを特徴とする表示装置。
【請求項２８】
請求項１〜２５に記載の装置であって、撮像部を更に有し、前記表示部は前記撮像部が撮像した映像を再生表示することを特徴とする表示装置。
【請求項２９】
請求項２８記載の表示装置であって、前記センサからの検出信号を，撮影の手振れ補正に用いることを特徴とする表示装置。
【発明の詳細な説明】
【技術分野】
【０００１】
本発明は、情報を表示する表示装置、および情報を表示する表示部を備えた情報機器に関するものである。
【背景技術】
【０００２】
近年、情報機器の発達に伴い、携帯可能な小さな機器で、文書や映像などの各種情報を閲覧するニーズが増大している。こうしたニーズに合わせ、薄型表示装置の研究、開発が盛んに行われている。
【０００３】
液晶パネルや、有機ＥＬパネルなどに代表される薄型表示装置を採用し、非常に薄くて軽い携帯情報機器が盛んに商品化されている。こうした機器では、旧来のキーボードを廃し、少数の操作ボタンに置き換えたり、ペンや指によるタッチパネル操作を採用し、装置本体のほとんどを表示部で占める構成になっている。また、フィルム状の筐体に表示部を形成する技術開発も進んでおり、紙の感覚での閲覧が可能な電子ペーパーも実現の目処がつきつつある。
【発明の開示】
【発明が解決しようとする課題】
【０００４】
しかしながら、上述のような従来例では、操作ボタンを配置するため装置本体が小さくできなかったり、ペン等の特別な操作器具が必要であったりするため、機器の携帯性を損ねていた。また、指によるタッチパネル操作は、表示面が指紋跡で汚れるなど使い易さの面で使用者に不利益を与えていた。
【０００５】
本発明は上記問題点を鑑みてなされたものであり、操作ボタン等を必要としない極めて小型の構成でありながら、直感的で使い易い操作性を有する表示装置を提供することを目的とする。
【課題を解決するための手段】
【０００６】
上記課題を解決するため、本発明では以下のように構成している。
【０００７】
即ち、筐体表面に情報を表示する表示部と、筐体に対する外部からの刺激を検知する検知部と、各部を制御する制御部とを有し、該制御部が前記検知部からの検知信号に従って前記表示部に表示する情報を更新する構成とした。
【０００８】
また、本発明の好適な一様態によれば、前記検知部は、表示装置の振れを検知する構成としてもよく、前記検知部は、表示装置の振動を検知する構成としてもよい。
【０００９】
また、本発明の好適な一様態によれば、前記検知部は表示装置への衝撃を検知する構成としてもよく、前記検知部が表示装置の回転を検知する構成や前記検知部が表示装置の筐体の変形を検知する構成とてもよい。
【００１０】
また、本発明の好適な一様態によれば、前記制御部は前記検知部からの検知信号に従って、前記表示部における情報表示をスクロールさせる構成としても良く、前記制御部は前記検知部からの検知信号に従って前記表示部における情報表示を改ページさせる構成としてもよい。
【００１１】
また、本発明の好適な一様態によれば、前記制御部は、前記検知部からの検知信号に従って、前記表示部における情報表示を拡大させる構成としてもよく、前記制御部は、前記検知部からの検知信号に従って、前記表示部における情報表示を縮小させる構成や、前記制御部は前記検知部からの検知信号に従って前記表示部における情報表示を変形させる構成としてもよい。
【００１２】
また、本発明の好適な一様態によれば、前記検知部は、速度センサである構成としてもよく、前記検知部は、加速度センサ、角速度センサであってもよい。
【００１３】
また、本発明の好適な一様態によれば、前記検知部は、タッチセンサである構成としてもよく、前記検知部は歪センサである構成とした。
【００１４】
また、本発明の好適な一様態によれば、前記検知部は、該装置の重心位置に配置される構成としてもよく、前記検知部は、前記表示部とは異なる面に配置される構成や、前記検知部は、前記表示部の上下左右辺の位置に配置される構成としてもよい。
【００１５】
また、本発明の好適な一様態によれば、前記検知部は、該装置の頂点部近傍に配置される構成とした。
【００１６】
また、本発明の好適な一様態によれば、筐体表面に情報を表示する表示部と、筐体の振れ方向および振れ幅を検知する速度センサと、各部を制御する制御部とを有し、該制御部が前記センサからの検知信号に従って前記表示部に表示する情報をスクロールさせる構成とした。
【００１７】
また、本発明の好適な一様態によれば、筐体表面に情報を表示する表示部と、筐体に対する外部からの衝撃を検知するタッチセンサと、各部を制御する制御部とを有し、該制御部がタッチセンサからの検知信号に従って前記表示部に表示する情報をスクロールさせる構成とした。
【００１８】
また、本発明の好適な一様態によれば、筐体表面に情報を表示する表示部と、筐体の頂点部近傍のめくれを検知する歪みセンサと、各部を制御する制御部とを有し、該制御部が歪みセンサからの検知信号に従って前記表示部に表示する情報を改ページさせる構成とした。
【００１９】
また、本発明の好適な一様態によれば、筐体表面に情報を表示する表示部と、筐体の変形を検知する歪センサと、各部を制御する制御部とを有し、該制御部が前記センサからの検知信号に従って前記表示部に表示する情報を拡大および縮小させる構成としてもよく、筐体表面に情報を表示する表示部と、筐体の変形を検知する歪センサと、各部を制御する制御部とを有し、該制御部が前記センサからの検知信号に従って前記表示部に表示する情報を変形し歪補正する構成としてもよい。
【００２０】
また、本発明の好適な一様態によれば、情報格納部を更に有し、前記表示部は該情報格納部に格納されている情報を表示するする構成とした。
【００２１】
また、本発明の好適な一様態によれば、通信部を更に有し、前記表示部は該通信部から受信される情報を表示するする構成とした。
【００２２】
また、本発明の好適な一様態によれば、撮像部を更に有し、前記表示部は該撮像部が撮像した映像を再生表示するする構成とした。
【００２３】
また、本発明の好適な一様態によれば、前記センサからの検出信号を，撮影の手振れ補正に用いる構成とした．
上記構成によれば、操作ボタン等を必要としない極めて小型の構成でありながら、直感的で使い易い操作性を有する表示装置を構成することができる。
【発明の効果】
【００２４】
本発明によれば、操作ボタン等を必要としない極めて小型の構成でありながら、直感的で使い易い操作性を有する表示装置を提供することができる。
【発明の最良の実施形態】
【００２５】
以下に本発明の実施例について説明する。
【実施例１】
【００２６】
以下に、本発明の第１の実施例を図１〜図３に基づき説明する。
【００２７】
図１は本発明の第１の実施例における装置の構成を示すブロック図である。第１の実施例の表示装置は、内蔵する情報媒体に記録された電子ブックデータなどを閲覧する表示装置である。
【００２８】
図１において、１０１は表示部、１０２は情報格納部、１０３は制御部、１０４は検知部である。
【００２９】
表示部１０１は、液晶パネルや有機ＥＬパネルなどの非常に薄い表示デバイスである。情報格納部１０２は、フラッシュメモリやＣＤ−ＲＯＭ等の記録媒体で、電子ブックデータなどの情報が格納されている。制御部１０３はマイクロコンピュータ等で構成され、各部と接続しそれぞれをコントロールする役割を持つ。検知部１０４は本表示装置に対する外部からの刺激を検知し検知信号を制御部１０３へ供給する。
【００３０】
次に図２は、本発明の実施例における表示装置の外観を示す図である。
【００３１】
図２に示すように、表示部１０１が薄いため、装置全体も非常に薄い構成である。制御部１０３などの回路部分を、表示部１０１の周囲部分に集中して配置したり、表示部１０１の裏に薄く重ねて配置したりすることで、表示部１０１自体が表示装置全体であるかのように手軽に扱える。検知部１０４は、図２における領域２０１、２０２、２０３の位置に配置される。領域２０１は装置の重心部（表示面の裏面）、領域２０２は装置の上下左右辺、領域２０３は装置の頂点部近傍である。
【００３２】
続いて、図１に示す構成を有する装置の操作例を説明する。
【００３３】
まず制御部１０３は、情報格納部１０２に記録されている情報を読み出し、表示部１０１に表示する。たとえば、利用者は地図などの電子ブックデータを携帯し閲覧する。利用者が、電子ブックデータの表示を更新したい際、たとえば地図の表示範囲をスクロールさせたい場合、本実施例では装置を軽くスクロール方向に振ることで更新を実現する。
【００３４】
図３は、第１の実施例による装置の操作を示す図である。検知部１０４は、表示装置の重心部の速度センサから成り、装置の振れ方向、振れ幅を検知する。速度センサは、カメラの防振機構等に用いられるジャイロ部材で容易に実現できる。制御部１０３は、速度センサの検知した振れの方向と幅を受け取り、その値に応じて、情報格納部１０２から電子情報を読み出し、表示部１０１の表示内容をスクロール表示させる。
【００３５】
この実施例１よれば、検知部１０４は加速度センサから成るが、同様に装置の振れや振動を検知でき上記実施例と同様な動作を実現する。
【００３６】
また、検知部１０４を角速度センサから構成することで、同様に装置の振れや回転を検知でき上記実施例と同様な動作を実現する。
【実施例２】
【００３７】
続いて、第２の実施例について説明する。第２の実施例のブロック構成は、前述の図１と同じであり、操作の違いを図４を用いて説明する。図４は、本発明による第２の実施例の操作を示す図である。検知部１０４は、装置の上下左右側面に配置されたタッチセンサからなり、装置側面への衝撃を検知する。たとえば表示部１０１に表示されている地図の表示範囲を下から上に更新させたい場合、本実施例では装置下部側面を机等に軽く打ち付けることで表示をスクロールする。同様に、上部や左右の側面を机に打ち付けたり、手で叩くことにより他の方向のスクロールも実現する。
【実施例３】
【００３８】
続いて、第３の実施例について説明する。第３の実施例のブロック構成は、前述の図１と同じであり、操作の違いを図５を用いて説明する。図５は、本発明による第３の実施例の操作を示す図である。検知部１０４は、表示装置の上下側面に配置された歪センサからなり、表示装置筐体の変形を検知する。歪センサの検知信号により，たとえば，図５（ａ）のように表示面を内側に丸める変形を検知し，表示部１０１に表示されている地図を縮小表示したり、あるいは、反対に表示面を外側に丸める変形を検知し，地図の表示を拡大したりする。同様に，図５（ｂ）のように装置の右下淵の頂点部周辺に歪センサを配置することで，装置の淵を捲り上げるという直感的な操作で、表示の改ページを行うことができる。
【００３９】
さらに，歪センサによって表示装置筐体の変形を検知し、装置筐体の変形に起因する表示部１０１の歪みを補正して視認性を高めて表示する装置も本発明の範疇である。
【実施例４】
【００４０】
続いて、第４の実施例について説明する。図６は本発明の第４の実施例における表示装置の構成を示すブロック図である。第４の実施例の表示装置は、通信経路を通じて受信したＨＴＭＬなどの電子情報を閲覧する携帯機器である。
【００４１】
図６において、１０１は表示部、１０５は通信部、１０３は制御部、１０４は検知部である。
【００４２】
この実施例４も前述の他の実施例同様、検知部１０４によって検知された筐体の振れや変形、衝撃に従い、表示部１０１に表示する情報を更新するものである。ただし、表示部１０１へ表示する情報は、通信部１０５により表示装置外から供給される点が異なる。即ち、制御部１０３は検知部１０４より検知信号を受け取り、表示の更新が必要な場合、新たな電子情報を通信部１０５に要求する。通信部は外部の表示装置と通信して得られた電子情報を制御部１０３に供給する。制御部１０３は新たな電子情報を表示部に表示し更新を完了する。
【実施例５】
【００４３】
続いて、第５の実施例について説明する。図７は本発明の第５の実施例における表示装置の構成を示すブロック図である。第５の実施例の表示装置はデジタルカメラなど、被写体を撮像し，かつ映像を再生表示する撮像装置である。
【００４４】
図７において、１０１は表示部、１０２は情報格納部、１０３は制御部、１０４は検知部、１０６は撮像部である。
【００４５】
この実施例５は、被写体を撮像し映像データを情報格納部１０２に格納する撮影モードと、情報格納部１０２に格納された映像データを再生して表示部１０１に表示する再生モードとを有する。
【００４６】
再生モードにおいては、前述の他の実施例同様，検知部１０４によって検知された外部からの刺激に従い、表示部１０１に表示する内容を更新する。たとえば、筐体の変形に従って再生映像を拡大表示したり、筐体の振れに従って再生スピードを変更したり、あるいは逆向き再生したりする。一方撮影モードにおいては、検知部１０４によって検知された検知信号に基づいて手振れを検出し、撮影映像の手振れを補正する。
【００４７】
なお、上述の実施例以外に、複数の機器（例えばホストコンピュータ、インタフェイス機器、液晶パネルなど）から構成されるシステムに適用しても、一つの機器からなる装置に適用してもよい。
【図面の簡単な説明】
【００４８】
【図１】本発明に係る第１の実施例のブロック図である。
【図２】本発明に係る第１の実施例の表示装置の外観例を示す図である。
【図３】本発明に係る第１の実施例の操作例を示す図である。
【図４】本発明に係る第２の実施例の操作例を示す図である。
【図５】本発明に係る第３の実施例の操作例を示す図である。
【図６】本発明に係る第４の実施例のブロック図である。
【図７】本発明に係る第５の実施例のブロック図である。
【符号の説明】
【００４９】
１０１    表示部
１０２    情報格納部
１０３    制御部
１０４    検知部
【図１】
2005174006.tif 000003
【図２】
2005174006.tif 000004
【図３】
2005174006.tif 000005
【図４】
2005174006.tif 000006
【図５】
2005174006.tif 000007
【図６】
2005174006.tif 000008
【図７】
2005174006.tif 000009